(57)【要約】      （修正有）【課題】高いフィラメント速度、低い番手、高い製造速度であるにもかかわらず、フィラメント載置物もしくは生成された不織布ウェブの品質が全ての諸要件に適合するスパンボンデット不織布の製造装置。【解決手段】紡糸口金２とモノマー吸引装置４との間に形成された間隙２．１の密閉のための変形可能な密閉材２．２が配設されており、及び／または、モノマー吸引装置４と冷却装置３との間に形成された間隙５の密閉のための変形可能な密閉材７が配設されており、及び／または、冷却装置３と、延伸装置もしくは中間管路１１．１との間に形成された間隙６の密閉のための変形可能な密閉材８が配設されており、および、密閉材２．２、７、８の当接特性、特に、押付け力及び／または押付け圧力及び／または当接面積が、それぞれの間隙２．１、５、６の境界面に関して変化可能もしくは後調節可能であるスパンボンデット不織布の製造装置。【選択図】図２
2018172840.tif 000002
【特許請求の範囲】
【請求項１】
特に熱可塑性の合成物質から成る無端フィラメント（１）から、スパンボンデット不織布を製造するための装置であって、この装置が、
前記無端フィラメント（１）の紡ぎ出しのための、少なくとも１つの紡糸口金紡糸口金（２）と、
少なくとも１つのモノマー吸引装置（４）と、
前記フィラメント（１）の冷却のための少なくとも１つの冷却装置（３）と、
前記フィラメント（１）の延伸のための、少なくとも１つの延伸装置（１１）と、および、
不織布ウェブ（１３）への前記フィラメント（１）の載置のための、特に載置スクリーンベルト（１２）の様式の、少なくとも１つの載置装置とを備えており、
前記紡糸口金（２）と前記モノマー吸引装置（４）との間に、前記紡糸口金（２）と前記モノマー吸引装置（４）との間に形成された少なくとも１つの間隙（２．１）の密閉のための、少なくとも１つの変形可能な密閉材（２．２）が配設されており、
及び／または、前記モノマー吸引装置（４）と前記冷却装置（３）との間に、前記モノマー吸引装置（４）と前記冷却装置（３）との間に形成された少なくとも１つの間隙（５）の密閉のための、少なくとも１つの変形可能な密閉材（７）が配設されており、
及び／または、前記冷却装置（３）と、前記延伸装置（１１）もしくはこの延伸装置（１１）の中間管路（１１．１）との間に、前記冷却装置（３）と、前記延伸装置（１１）もしくは前記中間管路（１１．１）との間に形成された少なくとも１つの間隙（６）の密閉のための、少なくとも１つの変形可能な密閉材（８）が配設されており、
および、少なくとも１つの前記密閉材（２．２、７、８）の当接特性、特に、押付け力及び／または押付け圧力及び／または当接面積が、それぞれの前記間隙（２．１、５、６）の境界面に関して、変化可能もしくは後調節可能である、
ことを特徴とする装置。
【請求項２】
前記紡糸口金（２）と前記モノマー吸引装置（４）との間の前記間隙（２．１）の幅、及び／または、前記モノマー吸引装置（４）と前記冷却装置（３）との間の前記間隙（５）の幅、及び／または、前記冷却装置（３）と、前記延伸装置（１１）もしくは前記中間管路（１１．１）との間の前記間隙（６）の幅は、前記装置の作動状態において、３ｍｍから３５ｍｍまで、特に、５ｍｍから３０ｍｍまでの値であり、且つ、
それぞれの少なくとも１つの前記密閉材（２．２、７、８）が、それぞれの前記間隙（２．１、５、６）の前記幅にわたって密閉していることを特徴とする請求項１に記載の装置。
【請求項３】
前記間隙（２．１、５、６）の前記幅に関する不均等性は、それぞれの幅方向における前記密閉材（２．２、７、８）の前記当接特性の変化／後調節によって、それぞれに補償可能であることを特徴とする請求項１または２に記載の装置。
【請求項４】
少なくとも１つの前記密閉材（２．２、７、８）、有利には全ての前記密閉材（２．２、７、８）は、所属して設けられた前記間隙（２．１、５、６）の幅方向において、３ｍｍから２０ｍｍまで、有利には、５ｍｍから１５ｍｍまでの変形道程だけ、後調節可能もしくは変形可能であることを特徴とする請求項１から３のいずれか一つに記載の装置。
【請求項５】
少なくとも１つの前記密閉材（２．２、７、８）、有利には全ての前記密閉材（２．２、７、８）は、フィラメント流動室（Ｆ）の全周を覆って、もしくは、基本的に全周を覆って、取り囲んでいることを特徴とする請求項１から４のいずれか一つに記載の装置。
【請求項６】
装置構成要素（２、４、３、１１もしくは１１．１）の間に形成される、少なくとも１つの前記間隙（２．１、５、６）内において、複数の前記密閉材（２．２、７、８）が、相並んで配設されており、および、フィラメント流動室（Ｆ）を境界していることを特徴とする請求項１から４のいずれか一つに記載の装置。
【請求項７】
少なくとも１つの前記密閉材（２．２、７、８）、有利にはこれら密閉材（２．２、７、８）は、密閉が、２０００Ｐａ以上、特に２５００Ｐａ以上の、前記フィラメント流動室（Ｆ）内における圧力の際に行われる、という条件付きで設備されていることを特徴とする請求項１から６のいずれか一つに記載の装置。
【請求項８】
少なくとも１つの前記密閉材（２．２、７、８）、有利には全ての前記密閉材（２．２、７、８）は、流動状の媒体でもって、充填可能であり、もしくは、充填されており、
それぞれの前記密閉材（２．２、７、８）の前記後調節もしくは調節が、前記密閉材（２．２、７、８）内への前記流動状の媒体の導入によって、もしくは、前記密閉材（２．２、７、８）からの前記流動状の媒体の導出によって行われることを特徴とする請求項１から７のいずれか一つに記載の装置。
【請求項９】
少なくとも１つの前記密閉材（２．２、７、８）、有利にはこれら密閉材（２．２、７、８）は、膨張可能な密閉材（２．２、７、８）であることを特徴とする請求項８に記載の装置。
【請求項１０】
メンテナンス状態への前記装置の移行のために、少なくとも１つの前記密閉材（２．２、７、８）、特にこれら密閉材（２．２、７、８）の前記当接特性は、変化可能であり、
従って、それぞれに密閉されるべき前記間隙（２．１、５、６）を境界する前記装置構成要素（２、４、３、１１もしくは１１．１）が、このメンテナンス状態において、相対的に互いに摺動可能もしくは移動可能である、特に水平方向に摺動可能もしくは移動可能であることを特徴とする請求項１から９のいずれか一つに記載の装置。
【請求項１１】
メンテナンス状態への前記装置の移行のために、少なくとも１つの前記密閉材（２．２、７、８）、特にこれら密閉材（２．２、７、８）の容積もしくは密閉容積は、変化可能もしくは低減可能であり、
従って、少なくとも１つの前記間隙（２．１、５、６）、特にこれら間隙（２．１、５、６）の、密閉状態に無い最小幅もしくは最小高さが残り、且つ、前記装置構成要素（２、４、３、１１もしくは１１．１）が、このメンテナンス状態において、相対的に互いに摺動可能もしくは移動可能である、特に水平方向に摺動可能もしくは移動可能であることを特徴とする請求項１から１０のいずれか一つに記載の装置。
【請求項１２】
１つ、もしくは、少なくとも１つの変形可能な前記密閉材は、少なくとも１つのばね要素（３１）を用いて、密閉されるべき前記間隙（２．１、５、６）の境界面に対して押圧される、少なくとも１つの密閉要素（３２）を有していることを特徴とする請求項１から７のいずれか一つ、または、請求項１０に記載の装置。
【請求項１３】
前記ばね要素（３１）の寸法、及び／または、ばねストローク、及び／または、ばね剛性は、
密閉されるべき前記間隙（２．１、５、６）の所属して設けられた境界面との、前記密閉要素（３２）の密閉状態での接触、もしくは、密閉接触が保証される、という条件付きで量定されていることを特徴とする請求項１２に記載の装置。
【請求項１４】
少なくとも１つの前記密閉材、もしくは、少なくとも１つのばね負荷された前記密閉要素（３２）の前記当接特性は、前記ばね要素（３１）を調整するもしくは負荷する少なくとも１つの操作要素を用いて調節可能であり、且つ、
有利には、前記装置が、少なくとも１つのばね負荷された前記密閉要素（３２）の前記当接特性のこの調節によって、メンテナンス状態に移行可能であることを特徴とする請求項１２または１３に記載の装置。
【請求項１５】
前記冷却装置（３）および前記延伸装置（１１）から成る機構ユニットは、閉鎖された機構ユニットとして形成されており、
前記冷却装置（３）内における冷却空気の供給を除いて、この閉鎖された機構ユニット内への、流動状の媒体の如何なる更なる供給も、もしくは、如何なる更なる空気供給も行われないことを特徴とする請求項１から１４のいずれか一つに記載の装置。
【請求項１６】
前記延伸装置（１１）と前記載置装置もしくは前記載置スクリーンベルト（１２）との間に、少なくとも１つのディフューザー（１１）が配設されており、従って、前記フィラメント（１）および一次空気（Ｐ）が、前記延伸装置（１１）から、前記ディフューザー（１０）内へと到達し、および、
有利には、少なくとも１つの前記ディフューザー（１４）の領域内において、機械方向（ＭＤ）に関して向かい合って位置する、少なくとも２つの二次空気流入間隙（１６、１７）が設けられており、前記二次空気流入間隙を通って、二次空気（Ｓ）が、前記ディフューザー（１４）内へと到達することを特徴とする請求項１から１５のいずれか一つに記載の装置。
【請求項１７】
前記載置装置もしくは前記載置スクリーンベルト（１２）を通って、空気もしくはプロセス空気を吸引するための、少なくとも１つの吸引装置が設けられており、
前記吸引が、有利には、少なくとも前記載置装置の上方に配設されている前記ディフューザー（１４）の前記ディフューザー流出部（２４）の領域内において、三次空気（Ｔ）が前記ディフューザー壁部（２３）の外側の表面（３０）に沿って前記載置装置もしくは前記載置スクリーンベルト（１２）への方向に流動するという条件付きで行われ、
前記三次空気の流れが、有利には、前記ディフューザー（１４）の内側において前記ディフューザー流出部（２４）への方向に流動する、前記一次空気（Ｐ）と前記二次空気（Ｓ）とから成る混合流に対して平行に、もしくは、基本的に平行に整向されていることを特徴とする請求項１から１６のいずれか一つに記載の装置。
【請求項１８】
少なくとも１つの前記二次空気流入間隙（１６、１７）、有利には、両方の前記二次空気流入間隙（１６、１７）は、前記二次空気（Ｓ）が前記フィラメント流動方向（ＦＳ）に対して、もしくは、前記装置もしくは前記ディフューザー（１０）の長手方向中心軸線（Ｍ）に対して、角度（α）において流入するという条件付きで形成されており、
この角度（α）が、１００°よりも小さく、合目的に９０°以下、有利には８０°よりも小さく、有利には７０°よりも小さく、および、特に有利には６５°よりも小さいことを特徴とする請求項１７に記載の装置。
【請求項１９】
前記二次空気流入間隙（１６、１７）の領域内において、前記一次空気と前記二次空気との前記容積流量の比率（ＶＰ／ＶＳ）は、５よりも小さい、有利には、４．５よりも小さいことを特徴とする請求項１７または１８に記載の装置。
【請求項２０】
前記フィラメント流動方向（ＦＳ）において、前記二次空気流入間隙（１６、１７）の後ろもしくは下に、収斂状のディフューザー部分（２０）が接続していることを特徴とする請求項１７から１９のいずれか一つに記載の装置。
【請求項２１】
前記フィラメント流動方向（ＦＳ）において、前記収斂状のディフューザー部分（２０）に、前記ディフューザー（１４）の狭隘位置（２１）が接続しており、および、この狭隘位置（２１）に、前記ディフューザー（１６）の少なくとも１つの末広がり状の領域（２２）が接続していることを特徴とする請求項２０に記載の装置。
【請求項２２】
前記空気流の吸引は、吸引装置の下方、もしくは、載置スクリーンベルト（１２）の下方で、吸引領域内において行われ、
この吸引領域の長さが、前記機械方向（ＭＤ）において、前記ディフューザー流出部（２４）の前記幅（Ｂ）の少なくとも１．２倍、有利には少なくとも１．５倍、および、特に有利には少なくとも２倍の値であることを特徴とする請求項１７から２１のいずれか一つに記載の装置。
【発明の詳細な説明】
【技術分野】
【０００１】
本発明は、特に熱可塑性の合成物質から成る無端フィラメントから、スパンボンデット不織布を製造するための装置であって、この装置が、
前記無端フィラメントの紡ぎ出しのための、少なくとも１つの紡糸口金と、
少なくとも１つのモノマー吸引装置と、
前記フィラメントの冷却のための少なくとも１つの冷却装置と、
前記フィラメントの延伸のための、少なくとも１つの延伸装置と、および、
不織布ウェブへの前記フィラメントの載置のための、特に載置スクリーンベルトの様式の、少なくとも１つの載置装置とを備えている。
「無端フィラメント」は、本発明の範囲内において、ほぼエンドレスの長さを有するフィラメントを意味している。そのような無端フィラメントは、ステープルファイバーと、これらステープルファイバーが例えば１０ｍｍから６０ｍｍまでのはるかに短い長さを有するという点において相違している。モノマー吸引装置でもって、ガスが、フィラメント形成室から、紡糸口金の下方で吸引される。このことによって、無端フィラメントと並んで生じる（ａｕｓｔｒｅｔｅｎｄｅｎ）、モノマー、オリゴマー、分解生成物、およびその種の他の物のようなガスは、本発明に従う装置から除去され得る。
【背景技術】
【０００２】
前記で述べられた様式の装置は、実務から、基本的に、種々の実施形態において公知である。これら装置は、同様に、スパンボンド装置とも称される。
この様式の実務から公知の装置の多くは、高いフィラメント速度、および、高い装入量並びに製造速度の際に、フィラメント載置物（Ｆｉｌａｍｅｎｔａｂｌａｇｅ）の品質が思わしくないことの欠点を有している。このことは、特に、載置物の均一性、並びに、製造された不織布ウェブの強度に関係する。生成される無端フィラメントの高いフィラメント速度、および、低い番手は、しばしば、製造された不織布ウェブのただ明確な品質損失だけを有して、実現することが可能である。
従って、これら公知の装置は、改善の余地がある。
【０００３】
このような様式の装置に関して、記載すべき先行技術文献情報はない。
【発明の概要】
【発明が解決しようとする課題】
【０００４】
本発明の根底をなす課題は、冒頭に記載された様式の装置を提供することであり、この装置において、高いフィラメント速度、および、低い番手、並びに、高い製造速度が実現され得、且つ、それにもかかわらず、フィラメント載置物もしくは生成された不織布ウェブの品質が、全ての諸要件に適合している。
【課題を解決するための手段】
【０００５】
この技術的な課題の解決のために、本発明は、特に熱可塑性の合成物質から成る無端フィラメントから、スパンボンデット不織布を製造するための装置を教示し、この装置が、
前記無端フィラメントの紡ぎ出しのための、少なくとも１つの紡糸口金と、
少なくとも１つのモノマー吸引装置と、
前記フィラメントの冷却のための少なくとも１つの冷却装置と、
前記フィラメントの延伸のための、少なくとも１つの延伸装置と、および、
不織布ウェブへの前記フィラメントの載置のための、−特に載置スクリーンベルトの様式の−少なくとも１つの載置装置とを備えており、
その際、前記紡糸口金と前記モノマー吸引装置との間に、前記紡糸口金と前記モノマー吸引装置との間に形成された１つの第１の間隙の密閉のための、少なくとも１つの変形可能な第１の密閉材が配設されており、
及び／または、その際、前記モノマー吸引装置と前記冷却装置との間に、前記モノマー吸引装置と前記冷却装置との間に形成された１つの第２の間隙の密閉のための、少なくとも１つの変形可能な第２の密閉材が配設されており、
及び／または、その際、前記冷却装置と、前記延伸装置もしくはこの延伸装置の中間管路との間に、前記冷却装置と、前記延伸装置もしくは前記中間管路との間に形成された１つの第３の間隙の密閉のための、少なくとも１つの変形可能な第３の密閉材が配設されており、
および、その際、第１の密閉材、及び／または、第２の間隙、及び／または、第３の間隙の当接特性−特に押付け力及び／または押付け圧力及び／または当接面積（Ｂｅｇｒｅｎｚｕｎｇｓｆｌａｅｃｈｅ）−が、それぞれの前記間隙の少なくとも１つの境界面に関して、変化可能もしくは後調節可能である。
【発明の効果】
【０００６】
本発明は、それ故に、第１、及び／または、第２、及び／または、第３の間隙の本発明に従う密閉によって−有利には、全ての間隙の密閉によって−、装置の内側での、空気動力学的な挙動に対する有利な影響が結果として生じることの認識を基礎としている。結果として、本発明に従う構成の実現の際に、不織布ウェブもしくはスパンボンデット不織布は、最適な品質でもって生成され得、しかも、特に、極めて均一な不織布ウェブ／スパンボンデット不織布が、特に、高い製造速度もしくはフィラメント速度において達成され得る。
本発明は、この関連において、更に、間隙を境界する面が装置の作動状態において熱的な変形に曝されていることの認識を基礎としている。これに対して、本発明は、１つの密閉材もしくはこれら密閉材が合目的であり、前記密閉材が、同様に−特に機械方向（ＭＤ）もしくはＣＤ方向に対して横方向に−異なる間隙幅もしくは間隙高さにおいても、同様に例えば２５００Ｐａ以上の高い内側圧力の際にも、未だに高い信頼性で密閉することを認識した。例えば２５００Ｐａ以上の高い内側圧力もしくはキャビン圧力は、特に、高いフィラメント速度もしくは製造速度の際に典型的である。
−特に機械方向（ＭＤ）もしくはＣＤ方向に対して横方向に−異なる間隙幅もしくは間隙高さは、同様に、それら装置構成要素の重量の結果としての装置構成要素のたわみに基づいて、または、高い内側圧力もしくはキャビン圧力に基づいての、これら装置構成要素の変形もしくは湾曲によって与えられる。
本発明は、これらの理由から、１つの密閉材もしくはこれら密閉材が合目的であり、それぞれの間隙の境界領域もしくは境界面に関する前記密閉材の当接特性が、変化可能もしくは後調節可能であることの認識を基礎としている。そのような本発明に従う密閉材でもって、異なる間隙幅もしくは間隙高さは、前記装置構成要素の間に形成された間隙の長さもしくは幅にわたって補償され得、且つ、これに伴って、これら間隙が、効果的に密閉され得る。
【０００７】
「機械方向（ＭＤ）」は、本発明の範囲内において、特に、載置装置もしくは載置スクリーンベルトの上での、フィラメント載置物もしくは不織布ウェブの搬送方向を意味している。ＣＤ方向は、特に、この機械方向（ＭＤ）に対して横方向を意味している。
【０００８】
極めて特に有利な本発明の実施形態は、紡糸口金とモノマー吸引装置との間の第１の間隙、および、このモノマー吸引装置と冷却装置との間の第２の間隙、並びに、冷却装置と、延伸装置もしくは中間管路との間の第３の間隙が、それぞれに、少なくとも１つの変化可能な密閉材によって密閉され、この密閉材の当接特性が、それぞれの間隙の少なくとも１つの境界面関して、それぞれに変化可能もしくは後調節可能である、ことによって特徴付けられている。
【０００９】
紡糸口金とモノマー吸引装置との間の第１の間隙の幅、及び／または、モノマー吸引装置と冷却装置との間の第２の間隙の幅、及び／または、冷却装置と、延伸装置もしくは中間管路との間の第３の間隙の幅は、３ｍｍから３５ｍｍまで、および、有利には、５ｍｍから３０ｍｍまでの値であることは、本発明の範囲内にある。それぞれの、少なくとも１つの第１の密閉材、及び／または、少なくとも１つの第２の密閉材、及び／または、少なくとも１つの第３の密閉材は、その場合に、それぞれの間隙の当該の幅にわたって密閉している。
第１の間隙の幅に関する、及び／または、第２の間隙の幅に関する、及び／または、第３の間隙の幅に関する不均等性は、幅方向（Ｗｅｉｔｅｎｒｉｃｈｔｕｎｇ）におけるそれぞれの密閉材の当接特性−特に押付け力、及び／または、押付け圧力、及び／または、当接面積−の変化／後調節によって、それぞれに補償され得る。
１つの間隙の幅は、本発明の範囲内において、有利な実施形態に従い、それぞれの間隙の高さもしくは垂直方向の高さを意味する。他の有利な実施形態に従い、しかしかしながら、−特に装置構成要素の相応する構成において−、そこで扱われるのが、同様にそれぞれの間隙の水平方向の幅であることも可能であり、または、同様にそれぞれの間隙の、他の方法で幾何学的に配設された幅であることも可能である。
【００１０】
少なくとも１つの密閉材−有利には、少なくとも１つの第１の密閉材、及び／または、少なくとも１つの第２の密閉材、及び／または、少なくとも１つの第３の密閉材−が、所属して設けられた（ｚｕｇｅｏｒｄｎｅｔｅｎ）間隙の幅方向において、３ｍｍから２０ｍｍまで、有利には、４ｍｍから１８ｍｍまで、および、極めて有利には、５ｍｍから１５ｍｍまでの変形道程だけ、後調節可能もしくは変形可能であることは、推奨される。
従って、少なくとも１つの密閉材が、第１の状態から、前記変形道程だけ、所属して設けられた間隙の幅の方向に第２の状態へと変形可能であり、もしくは、この変形道程に関して拡大可能であること、および、その逆もまたその通りであることは、特に、意味される。
その際、変形もしくは後調節は、−特に密閉材の内側に存在している流動状の媒体の圧力に基づいて−、有利には、受動的もしくは自動的に行われ得、または、この変形もしくは後調節が、特に密閉材の内側に存在している、流動状の媒体の圧力の増大または低下に基づいて、能動的に行われ得る。
【００１１】
本発明の極めて有利な実施形態は、
少なくとも１つの第１の密閉材が、紡糸口金とモノマー吸引装置との間で延在するフィラメント流動室Ｆの全周を覆って、もしくは、基本的に全周を覆って、取り囲んでいること、及び／または、
少なくとも１つの第２の密閉材が、モノマー吸引装置と冷却装置との間で延在するフィラメント流動室Ｆの全周を覆って、もしくは、基本的に全周を覆って、取り囲んでいること、及び／または、
少なくとも１つの第３の密閉材が、冷却装置と延伸装置もしくは中間管路との間で延在するフィラメント流動室Ｆの全周を覆って、もしくは、基本的に全周を覆って、取り囲んでいること、によって特徴付けられる。
これら有利な場合において、従って、少なくとも１つのそれぞれの密閉材は、ＣＤ方向およびＭＤ方向（機械方向）において、それぞれのフィラメント流動室Ｆの周囲を回って延在している。
【００１２】
本発明の他の実施形態に従い、第１の間隙内において、及び／または、第２の間隙内において、及び／または、第３の間隙内において、それぞれに、複数の密閉材が、相並んで配設されており、および、これら複数の密閉材が、それぞれの間隙に関して、フィラメント流動室Ｆを境界している。
ＣＤ方向及び／またはＭＤ方向における少なくとも１つの間隙内において、複数の密閉材が相並んでもしくは接し合って配設されており、且つ、これに伴って、第１の密閉材が、紡糸口金とモノマー吸引装置との間の間隙において、及び／または、第２の密閉材が、このモノマー吸引装置と冷却装置との間の間隙内において、及び／または、第３の密閉材が、この冷却装置と延伸装置との間の間隙内において、形成することは、従って同様に可能である。
【００１３】
本発明の、特に推奨される実施形態は、少なくとも１つの第１の密閉材、及び／または、少なくとも１つの第２の密閉材、及び／または、少なくとも１つの第３の密閉材が、基本的にもしくは主として、主変形方向において変形可能であることによって特徴付けられている。
１つの実施形態の変形に従い、この主変形方向は、フィラメント流動方向ＦＳに対して平行に、もしくは、このフィラメント流動方向ＦＳに対して基本的に平行に整向されており、及び／または、有利には、垂直方向に、もしくは、基本的に垂直方向に、整向されている。他の実施形態の変形に従い、少なくとも１つの密閉材もしくはこれら密閉材の主変形方向は、フィラメント流動方向ＦＳに対して垂直方向に、もしくは、基本的に、このフィラメント流動方向ＦＳに対して垂直方向に、整向されており、及び／または、有利には、水平方向に、もしくは、基本的に、水平方向に整向されている。
それぞれの主変形方向に対して横方向の、少なくとも１つの第１の密閉材、及び／または、少なくとも１つの第２の密閉材、及び／または、少なくとも１つの第３の密閉材の変形は、１つの実施形態の変形に従い、それぞれの密閉材の傍らに、もしくは、それぞれの密閉材に沿って配設された密閉材案内面よって、境界もしくは制限される。
【００１４】
有利な実施形態に従い、紡糸口金とモノマー吸引装置との間の少なくとも１つの第１の密閉材は、このモノマー吸引装置に固定されており、且つ、主変形方向が、このモノマー吸引装置から、この紡糸口金への方向において設けられており、その際、少なくとも１つの第１の密閉材のための少なくとも１つの境界面が、この紡糸口金に設けられており、この境界面に、少なくとも１つの第１の密閉材が当接する。原理的に、少なくとも１つの第１の密閉材は、同様に、紡糸口金に固定されていることは可能であり、且つ、主変形方向が、その場合に、この紡糸口金から、モノマー吸引装置への方向において設けられており、その際、少なくとも１つの第１の密閉材のための少なくとも１つの境界面が、その場合に、このモノマー吸引装置に設けられている。
本発明の１つの実施形態は、モノマー吸引装置と冷却装置との間の少なくとも１つの第２の密閉材は、このモノマー吸引装置に固定されており、且つ、主変形方向が、このモノマー吸引装置から、この冷却装置への方向において設けられており、その際、少なくとも１つの第２の密閉材のための少なくとも１つの境界面が、この冷却装置に設けられており、この境界面に、少なくとも１つの第２の密閉材が当接することによって特徴付けられている。基本的に、少なくとも１つの第２の密閉材は、同様に、冷却装置に固定されていることは可能であり、且つ、主変形方向が、その場合に、この冷却装置から、モノマー吸引装置への方向において設けられており、その際、少なくとも１つの第２の密閉材のための少なくとも１つの境界面が、その場合に、このモノマー吸引装置に設けられている。
本発明の推奨される実施形態は、冷却装置と、延伸装置もしくは中間管路の間の少なくとも１つの第３の密閉材は、この延伸装置もしくは中間管路に固定されており、且つ、主変形方向が、その場合に、この延伸装置もしくは中間管路から、この冷却装置への方向において設けられており、その際、有利には、少なくとも１つの第３の密閉材のための少なくとも１つの境界面が、この冷却装置に設けられている。原理的に、少なくとも１つの第３の密閉材は、同様に、冷却装置に固定されていることは可能であり、且つ、主変形方向が、その場合に、この冷却装置から、延伸装置もしくは中間管路へと整向されており、その際、少なくとも１つの第３の密閉材のための少なくとも１つの境界面が、その場合に、この延伸装置もしくは中間管路に設けられている。
この密閉材もしくはこれら密閉材の本発明に従う配設により、前記密閉材の変形によって、装置構成要素の変形もしくはたわみの効果的な補償が行われ得る。密閉材の本発明に従う後調節によって、不均等性にもかかわらず、これら密閉材の効果的な当接は、所属して設けられた当接面（Ａｎｌａｇｅｆｌａｅｃｈｅｎ）において行われ得る。
【００１５】
有利には、第１の密閉材、及び／または、密閉材、及び／または、第３の密閉材は、密閉が、２０００Ｐａ以上、特に２５００Ｐａ以上の、フィラメント流動室Ｆ内における圧力の際に行われる、という条件付きで設備されている。
そのような高い圧力は、特に、高いフィラメント速度の際に発生する。本発明に従う密閉でもって、そのような高い圧力において、もしくは、高いフィラメント速度、および、生成される無端フィラメントの相応して低い番手において、品質的に価値の高いフィラメント載置物、特に全ての方向に十分に均一なフィラメント載置物が生成されることは達成される。
【００１６】
本発明の、極めて特に推奨される実施形態は、少なくとも１つの第１の密閉材、及び／または、少なくとも１つの第２の密閉材、及び／または、少なくとも１つの第３の密閉材が、流動状の媒体でもって、充填可能であり、もしくは、充填されていることによって特徴付けられている。
本発明の、有利な１つの実施形態は、少なくとも１つの密閉材、有利には、少なくとも１つの第１の密閉材、及び／または、少なくとも１つの第２の密閉材、及び／または、少なくとも１つの第３の密閉材が、この密閉材内において存在している流動状の媒体の圧力に基づいて、所属して設けられた間隙の変化もしくは変形の際に、自動的に後調節もしくは変形することによって特徴付けられる。合目的に、それぞれの密閉材内における流動状の媒体の圧力は、密閉材変形もしくは密閉材後調節が、自動的に、−例えば装置構成要素のたわみに基づいての−間隙幅変化の際に、しかも有利には、更に上方で述べられた有利な変形道程の内側で行われる、という条件付きで調節されている。
選択的または付加的に、この目的のために、１つの実施形態の変形に従い、それぞれの密閉材の後調節もしくは調節は、密閉材内への流動状の媒体の導入によって、もしくは、密閉材からの流動状の媒体の導出によって行われる。その際、密閉材内への流動状の媒体の導入の際に、この密閉材内における流動状の媒体の圧力が増大されること、および、密閉材からの流動状の媒体の導出の際に、この密閉材内における流動状の媒体の圧力が低下されることは、本発明の範囲内にある。
その他更に、これら密閉材の内の１つの密閉材内における流動状の媒体の圧力が、全ての密閉材領域内において同じである、もしくは、基本的に同じであること、および、有利には、それぞれの間隙の異なる境界領域もしくは境界面における、密閉材の押付け力が、異なっていることは、本発明の範囲内にある。
【００１７】
本発明の、極めて有利な実施形態に従い、密閉材内へと導入可能な、もしくは、これら密閉材内に入っている流動状の媒体は、ガス状の媒体であり、且つ、特に、空気である。
合目的に、少なくとも１つの第１の密閉材、及び／または、少なくとも１つの第２の密閉材、及び／または、少なくとも１つの第３の密閉材は、ガス状の媒体の様式もしくは空気の様式の流動状の媒体でもって膨張可能である。それぞれの密閉材内における、圧力もしくは空気圧力の低下のために、流動状の媒体もしくはガス状の媒体、特に空気は、密閉材から、同様に再び排出されることも可能である。
合目的に、少なくとも１つの第１の密閉材、及び／または、少なくとも１つの第２の密閉材、及び／または、少なくとも１つの第３の密閉材の、壁部、もしくは、少なくとも壁部分（Ｗａｎｄｕｎｇｓｔｅｉｌｅ）は、少なくとも１つの伸縮性合成樹脂、もしくは、１つの伸縮性合成樹脂から成っている。第１の密閉材、及び／または、第２の密閉材、及び／または、第３の密閉材は、本発明の１つの実施形態に従い、フィラメント形成室を覆って取り囲んでいる環状密閉材であることは可能である。
【００１８】
本発明に従い設備された密閉材は、本発明に従う装置のメンテナンスの際に、しかも、特にこの装置がこの装置の作動状態からメンテナンス状態に移行すべき場合に、極めて有益である。
メンテナンス状態への装置の移行のために、少なくとも１つの密閉材、特に全ての密閉材の当接特性が、変化可能であり、従って、それぞれに密閉されるべき間隙を境界する装置構成要素が、このメンテナンス状態において、相対的に互いに摺動可能もしくは移動可能である、特に水平方向に、もしくは、ほぼ水平方向に、摺動可能もしくは移動可能であることは、本発明の範囲内にある。
【００１９】
本発明に従う装置の、有利な実施形態は、メンテナンス状態への装置の移行のために、少なくとも１つの密閉材、特にこれら密閉材、もしくは、全ての密閉材の容積もしくは密閉容積は、変化可能もしくは低減可能であり、従って、少なくとも１つの間隙、特にこれら間隙、もしくは全ての間隙の密閉状態に無い（ｄｉｃｈｔｕｎｇｓｆｒｅｉｅ）最小幅もしくは最小高さが残ることによって、特徴付けられている。このメンテナンス状態において、有利には、装置構成要素（Ａｎｌａｇｅｎｋｏｍｐｏｎｅｎｔｅｎ）は、相対的に互いに摺動され得、もしくは、移動され得、しかも、特に水平方向に摺動され得、もしくは、移動され得る。
例えば、冷却装置における、１つの密閉材もしくはこれら密閉材の容積は低減され得、従って、冷却装置とモノマー吸引装置との間の間隙、及び／または、冷却装置と延伸装置との間の間隙の密閉状態に無い最小幅もしくは最小高さが与えられる。次いで、冷却装置は、メンテナンスの目的で、水平方向に移動され得、もしくは、装置から取り出される。
【００２０】
本発明の選択的な実施形態は、１つ、もしくは、少なくとも１つの変形可能な密閉材が、少なくとも１つのばね要素を用いて、密閉されるべき間隙の境界面に対して押圧される、少なくとも１つの密閉要素を有している、ことによって特徴付けられている。
合目的に、ばね要素の寸法、及び／または、ばねストローク、及び／または、ばね剛性は、密閉されるべき間隙の所属して設けられた境界面との、密閉要素の密閉状態での接触、もしくは、密閉接触が保証される、という条件付きで量定されている。密閉要素が、例えば、密閉唇状片であることは可能であり、この密閉唇状片は、有利には、ばね要素に接続されている。
少なくとも１つの密閉材、もしくは、少なくとも１つのばね負荷された密閉要素の前記当接特性は、ばね要素を調整するもしくは負荷する少なくとも１つの操作要素を用いて調節可能であることは、推奨される。有利には、装置は、少なくとも１つのばね負荷された密閉要素の当接特性のこの調節によって、メンテナンス状態に移行可能である。
【００２１】
本発明に従う装置において、モノマー吸引装置に、フィラメント流動方向ＦＳにおいて、フィラメントの冷却のための冷却装置は、後続して配設されている。
本発明の有利な実施形態に従い、冷却装置は、ただ１つの冷却チャンバー部分だけを有しており、この冷却チャンバー部分内において、貫通流動する無端フィラメントが、冷却空気に曝される。本発明の、他の推奨される実施形態に従い、冷却装置は、フィラメント流動方向ＦＳにおいて相前後してもしくは上下に配設された、少なくとも２つの冷却チャンバー部分を有しており、これら冷却チャンバー部分内において、貫通流動する無端フィラメントが、それぞれに、異なる温度の冷却空気に曝され得る。
この装置は、同様に、フィラメントの冷却のための、上側の冷却チャンバーからのプロセス空気の流出速度、および、下側の冷却チャンバーからのプロセス空気の流出速度が異なっている、という条件付きで設備されていることは可能である。
【００２２】
冷却装置、および、フィラメント流動方向においてこの冷却装置に接続する延伸装置から成る機構ユニットが、閉鎖された機構ユニットとして形成されていること、および、
前記冷却装置内における冷却空気の供給を除いて、この機構ユニットもしくはこの閉鎖された機構ユニット内への、流動状の媒体の如何なる更なる供給も、もしくは、如何なる更なる空気供給も行われないことは推奨される。
そのような閉鎖された機構ユニットの実現は、本発明の技術的な課題の解決策を顧慮して、特に有用であることが実証された。
【００２３】
延伸装置と、載置装置もしくは載置スクリーンベルトとの間に、少なくとも１つのディフューザーが配設されており、従って、フィラメントおよび一次空気が、この延伸装置から、ディフューザー内へと到達することは、本発明の範囲にある。
本発明の範囲内において、極めて特別な意義がある極めて有利な実施形態に従い、少なくとも１つのディフューザーの領域内において、ディフューザーの向かい合って位置する側に配設された、少なくとも２つの二次空気流入間隙が設けられており、これら二次空気流入間隙を通って、二次空気が、ディフューザー内へと到達する。
本発明の、特に推奨される実施形態は、少なくとも１つの二次空気流入間隙、有利には、少なくとも２つの二次空気流入間隙が、二次空気がフィラメント流動方向ＦＳに対して、もしくは、装置もしくはディフューザーの長手方向中心軸線Ｍに対して、流れ込み角度αにおいて流入する、という条件付きで形成されていることによって特徴付けられる。
実施形態の変形に従い、この流れ込み角度αは、７５°と１１５°の間、合目的に８０°と１１０°との間にある。１つの実施形態に従い、この流れ込み角度αは、９０°以下、有利には８０°よりも小さく、有利には７０°よりも小さく、および、特に６５°よりも小さい。
その際、流れ込み角度αが、６０°よりも小さく、有利には５５°よりも小さく、および、有利には５０°よりも小さいことは、特に有用であることが実証された。推奨される実施形態に従い、流れ込み角度αは、０°と６０°との間、合目的に、１°と５５°との間、有利には、２°と５０°との間、極めて有利には、２°と４５°との間、および、特に有利には、２°と４０°との間にある。
二次空気の流れ込みが、この二次空気がこの二次空気の流入の後フィラメント流動方向に対して平行もしくはほぼ平行に流動する、という条件付きで行われることは、特に推奨される。合目的に、二次空気流入間隙は、流れ込み角度αの実現のために、相応して設備されており、特に、流れ込み傾斜部及び／または流れ込み管路、およびその種の他の物を用いて、設備されている。
二次空気のための、本発明に従う流れ込み角度αの実現は、本発明の範囲内において、特に有用であることが実証されており、且つ、能率的に、本発明に従う技術的な課題の解決のために寄与する。
【００２４】
二次空気流入間隙の領域内において、一次空気と二次空気との容積流量の比率ＶＰ／ＶＳが、５よりも小さい、有利には、４．５よりも小さいことは、推奨される。合目的に、フィラメント流動方向ＦＳにおいて、二次空気流入間隙の後ろもしくは下に、前記ディフューザーもしくは１つのディフューザーの収斂状のディフューザー部分が接続している。
有利には、フィラメント流動方向ＦＳにおいて、ディフューザーのこの収斂状の部分に引き続いて、ディフューザーの狭隘位置が設けられており、および、この狭隘位置に、有利には、ディフューザーの少なくとも１つの末広がり状の領域が接続している。
ディフューザーの長手方向中心軸線Ｍに対する、この末広がり状のディフューザー部分のディフューザー流出角度βは、推奨のように、最大３０°、有利には最大２５°の値である。
【００２５】
フィラメント流動方向ＦＳにおいて最後（ｌｅｔｚｔｅ）のディフューザー部分が、載置装置もしくは載置スクリーンベルトに向かって末広がり状のディフューザー壁部を有していること、および、これらディフューザー壁部が、機械方向（ＭＤ）において幅Ｂを有するディフューザー流出部を形成していることは、本発明の範囲内にある。
有利には、載置装置もしくは載置スクリーンベルトを通って、空気もしくはプロセス空気を吸引するための、少なくとも１つの吸引装置が設けられている。本発明の極めて有利な実施形態に従い、ディフューザー流出部の下方に配設された吸引領域が、機械方向（Ｍａｓｃｈｉｎｅｎｅｉｎｒｉｃｈｔｕｎｇ）に幅ｂを備えており、その際、吸引領域のこの幅ｂが、ディフューザー流出部の幅Ｂよりも大きい。
推奨のように、吸引領域の幅ｂは、ディフューザー流出部の幅Ｂの少なくとも１．２倍、有利には少なくとも１．３倍、および、特に有利には少なくとも１．４倍の値である。
吸引領域が、機械方向（ＭＤ）に関して、フィラメントの吸引領域の後で、（第１の）吸引部分だけディフューザー流出部を越えて突出していること、及び／または、吸引領域が、機械方向（ＭＤ）に関して、フィラメントの吸引領域の手前で、（第２の）吸引部分だけディフューザー流出部を越えて突出していることは、本発明の範囲内にある。
有利には、吸引領域もしくは主吸引領域は、両方の側において、この吸引領域の幅ｂに関して、ディフューザー流出部の幅Ｂを越えて、しかも、一方の側で第１の吸引部分だけ、および、他方の側で第２の吸引部分だけ、突出している。
【００２６】
本発明の極めて推奨される実施形態は、吸引装置による吸引が、少なくともディフューザー流出部の領域内において、三次空気がディフューザー壁部の外側の表面に沿って載置装置もしくは載置スクリーンベルトへの方向に流動する、という条件付きで行われる。三次空気の流れは、その際、有利には、ディフューザーの内側においてディフューザー流出部への方向に流動する、一次空気と二次空気とから成る混合流に対して平行に、もしくは、基本的に平行に整向されている。
同様に三次空気も、載置装置もしくは載置スクリーンベルトを通って吸引されることは、本発明の範囲内にある。
合目的に、吸引装置でもって吸引される三次空気の容積流量ＶＴは、吸引される一次空気および二次空気の容積流量の少なくとも２５％、有利には少なくとも４０％、および、特に有利には少なくとも５０％の値である。
本発明の推奨される実施形態は、ディフューザーもしくはこのディフューザーの下側縁部／最も下方向縁部と、載置スクリーンベルトとの間の間隔が、２０ｍｍから３００ｍｍまで、特に３０ｍｍから１５０ｍｍまで、および、有利には３０ｍｍから１２０ｍｍまでの値であることによって特徴付けられている。
この実施形態は、本発明の範囲内において、本発明に従う技術的な課題の解決のために、特に有用であることが実証された。
【００２７】
本発明は、本発明に従う装置でもって、簡単且つ能率的な方法で、優れた品質を有する、および、特に、極めて均一な特性を有する、不織布ウェブもしくはスパンボンデット不織布が製造され得ることの認識を基礎としている。このことは、特に、高い製造速度、もしくは、高いフィラメント速度およびそれに応じて無端フィラメもしくはントの低い番手においても言えることである。
本発明に従う装置の高い内側圧力において、本発明の認識に相応して、本発明に従い行われる密閉は、装置内における最適な挙動もしくは空気動力学的な挙動を保証する。本発明に従う構成でもって、極めて均等な空気流動もしくは均等なフィラメント空気流動が、装置の内側で可能であり、且つ、全ての方向に十分に均一な特性を有する不織布ウェブが与えられる。
本発明に従う装置が、比較的に簡単に且つ少ない手間暇で実現され得、且つ、特に同様に作動可能でもあることは、強調されるべきである。
【００２８】
以下で、本発明を、ただ１つだけの実施例を図示している図に基づいて詳しく説明する。
【図面の簡単な説明】
【００２９】
【図１】本発明に従う装置の概略的な縦断面図である。
【図２】本発明に従う装置の上側の領域の、部分Ａの拡大図である。
【図３】本発明に従う装置の下側の領域の、部分Ｂの拡大図である。
【図４】図２の部分Ｃの拡大図である。
【図５】図２の部分Ｄの拡大図である。
【図６】選択的な密閉材に関する、図２の拡大図である。
【発明を実施するための形態】
【００３０】
図は、無端フィラメント１、特に熱可塑性の合成物質から成る無端フィラメント１から、スパンボンデット不織布を製造するための、本発明に従う装置を示している。
この装置は、無端フィラメント１の紡ぎ出しのための紡糸口金２、並びに、フィラメント流動方向ＦＳにおいて、紡糸口金２の下方に配設されているモノマー吸引装置４を有している。このモノマー吸引装置４でもって、紡糸プロセスの際に発生する−モノマー、オリゴマーのような−妨害ガスが、この装置から除去され得る。
このモノマー吸引装置４に、フィラメント流動方向ＦＳにおいて、フィラメント１の冷却のための冷却装置３が後接続されている。合目的に、および、この実施例において、冷却装置３は、フィラメント流動方向ＦＳに、相前後してもしくは上下に配設された２つの冷却チャンバー９、１０に分割されており、その際、これら冷却チャンバー９、１０が、有利には、および、この実施例において、異なる温度の冷却空気に曝され得る。冷却装置３は、しかしながら、同様に、ただ唯一の冷却チャンバーを有していることも可能である。
本発明に従う装置の冷却装置３に、フィラメント１の延伸のための延伸装置１１が後接続されている。延伸装置１１は、冷却装置３もしくは下側の冷却チャンバー１０に接続する中間管路１１．１、並びに、この中間管路１１．１に接続する延伸ダクト１１．２を有している。この延伸装置１１の中間管路１１．１は、有利には、および、この実施例において、フィラメント流動方向ＦＳに、収斂状に形成されている。
【００３１】
紡糸口金２とモノマー吸引装置４との間に、第１の間隙２．１が配設されており、この第１の間隙は、通常、および、この実施例において、全フィラメント流動室Ｆの周囲を取り囲んでいる。それに加えて、モノマー吸引装置４と冷却装置３との間に、第２の間隙５が存在し、この第２の間隙は、通常、および、この実施例において、同様に、全フィラメント流動室Ｆの周囲を取り囲んでいる。更に、冷却装置３もしくは下側の冷却チャンバー１０と、延伸装置１１もしくはこの延伸装置１１の中間管路１１．１との間に、第３の間隙６が形成されており、この第３の間隙は、通常、および、この実施例において、同様に、全フィラメント流動室Ｆの周囲を取り囲んでいる。
特に有利な実施形態に従い、および、この実施例において、第１の間隙２．１内において、この第１の間隙２．１を密閉する第１の密閉材２．２が設けられており、および、第２の間隙５内において、この第２の間隙５を密閉する第２の密閉材７が配設されている。その他更に、推奨のように、および、この実施例において、第３の間隙６内において、この第３の間隙を密閉する第３の密閉材８が設けられている。
ここで「密閉」は、特に、フィラメント形成室もしくはフィラメント流動室Ｆが、これら密閉材２．２、７、８によって外方に向かって密閉され、且つ、漏洩が可能な限り回避されることを意味する。
有利には、および、この実施例において、第１の密閉材２．２、第２の密閉材７、および、第３の密閉材８は、それぞれに、フィラメント流動室Ｆを覆って取り囲んでいる密閉材２．２、７、８、もしくは、環状密閉材である。
これら３つの密閉材２．２、７、８は、特に、変形可能な密閉材２．２、７、８として形成されており、且つ、これら密閉材の当接特性に関して−特にこれら密閉材の押付け力に関して−、それぞれの間隙２．１、５、６を境界する境界面に関して変形可能もしくは後調節可能である。
ここで「後調節可能」は、特に、密閉材２．２、７、８が、間隙２．１、５、６の境界面の方向に変形可能であることを意味し、従って、これら密閉材２．２、７、８が、強固にもしくは密に、間隙２．１、５、６の境界面において、密閉状態で当接する。
第１の間隙２．１、第２の間隙５、および、第３の間隙６は、この実施例において、高さｈ１、高さｈ２、および、高さｈ３を有しており、この高さが、５ｍｍと３０ｍｍとの間の範囲内にある。それぞれの密閉材２．２、７、８は、間隙２．１、５、６を、それぞれに、この高さｈ１、もしくはｈ２、もしくはｈ３にわたって密閉する。間隙２．１、５、６の高さｈ１、ｈ２、または、ｈ３の不均等性は、それぞれに、密閉材２．２、７、８の当接特性−特に押付け力−の、本発明に従う変化／後調節によって補償可能である。
【００３２】
本発明の、特に推奨される実施形態に従い、および、この実施例において、全ての、３つの密閉材２．２、７、８は、それぞれに、基本的に、もしくは、主として、主変形方向において変形可能である。この主変形方向は、有利には、および、この実施例において、フィラメント流動方向ＦＳに対して平行に、且つ、垂直方向に整向されている。
合目的に、および、この実施例において、密閉材２．２、７、８の主変形方向は、それぞれに、それぞれの間隙２．１、５、６の向かい合って位置する境界面への方向に整向されている。実施例（図４および５を参照）において、両方の間隙５および６の境界面５．１および６．１だけが図示されている。
推奨される実施形態に従い、および、この実施例において、密閉材２．２、７、８の変形は、それぞれの密閉材２．２、７、８の傍らに配設された密閉材案内面によって境界もしくは制限される。実施例（図４および５を参照）において、密閉材案内面７．１および、８．１だけが、密閉材７および８の傍らに図示されている。
【００３３】
以下の構成に関して、特に、図４および５に従う実施形態を参照されたい。
推奨のように、および、図４および５に従う実施例において、第２の密閉材７は、モノマー吸引装置４と冷却装置３との間で、このモノマー吸引装置４に沿って下側に固定されており、且つ、この第２の密閉材７の主変形方向が、このモノマー吸引装置４から冷却装置３への方向に配置されている。この第２の密閉材７は、その場合に、冷却装置３の上側面において配設された、第２の間隙５の境界面５．１に当接する。
有利な実施形態に従い、および、この実施例において、第３の密閉材は、冷却装置３と、延伸装置１１、もしくは、この延伸装置１１もしくは中間管路１１．１の上側面における中間管路１１．１との間で固定されており、且つ、この第３の密閉材８の主変形方向が、この中間管路１１．１から冷却装置３へと、上に向かって整向されている。この第３の密閉材８は、その場合に、冷却装置３の下側面において設けられた第３の間隙６の境界面６．１に当接する。
密閉材７、８の記載された有利な配設、および、これら密閉材の有利に配置された主変形方向によって、とりわけ、−特にＣＤ方向（ＣＤ−Ｒｉｃｈｔｕｎｇ）において−起こる、冷却装置３の変形、もしくは、たわみは補償され、且つ、ここで延在する間隙５、６が、本発明に従う密閉材７、８でもって効果的に密閉され得る。
【００３４】
有利な実施形態に従い、および、図１から５までに従う実施例において、全ての密閉材２．２、７、８は、ガス状の媒体でもって、充填可能であり、もしくは、充填されている。このガス状の媒体は、合目的に、空気である。密閉材２．２、７、８の当接特性の後調節もしくは調節は、特に、この密閉材２．２、７、８内へのガス状の媒体もしくは空気の導入によって、もしくは、この密閉材２．２、７、８からのガス状の媒体もしくは空気の導出によって行われる。
これら密閉材２．２、７、８が、膨張可能な密閉材２．２、７、８、もしくは、膨張可能な環状密閉材２．２、７、８であることは、本発明の範囲内にある。
膨張によって、間隙２．１、５、６の境界面における、密閉材２．２、７、８の押付け力は変化され、且つ、これら密閉材２．２、７、８が、このようにして、間隙高さｈに関する不均等性を補償可能である。密閉材２．２、７、８の壁部は、この実施例において、伸縮性合成樹脂から成るのが良い。有利には、これら密閉材２．２、７、８は、環状密閉材、もしくは、チューブ状の密閉材２．２、７、８である。合目的に、これら密閉材２．２、７、８は、密閉が、２０００Ｐａ以上、特に２５００Ｐａ以上の、フィラメント流動室Ｆ内における圧力において行われる、という条件付きで設備（ｅｉｎｇｅｒｉｃｈｔｅｔ）されている。
【００３５】
推奨のように、および、この実施例において、冷却装置３および延伸装置１１から成る機構ユニットは、閉鎖された機構ユニットとして形成されており、その際、この冷却装置３内における冷却空気の供給を除いて、この閉鎖された機構ユニット内への、流動状の媒体の如何なる更なる供給も、もしくは、如何なる更なる空気供給も行われない。
【００３６】
延伸されたフィラメント１は、載置スクリーンベルト１２の様式の載置装置の上で、不織布ウェブ１３へと載置される。合目的に、および、この実施例において、延伸装置１１と載置スクリーンベルト１２との間に、ディフューザー１４が配設されており、従って、フィラメント１、および、一次空気Ｐは、この延伸装置１１からこのディフューザー１４内へと到達する。
有利には、および、この実施例において、延伸装置１１もしくはこの延伸装置１１の延伸ダクト１１．２と、ディフューザー１４との間に、二次空気Ｓの導入のための、向かい合って位置する２つの二次空気流入間隙１６、１７が配設されている。合目的に、これら二次空気流入間隙１６、１７は、本発明に従う装置の全幅もしくはＣＤ幅（ＣＤ−Ｂｒｅｉｔｅ）にわたって延在している。
有利な実施形態に従い、二次空気流入間隙１６、１７を通る二次空気は、流れ込み角度αでもって供給され、この流れ込み角度が、有利には、６０°よりも小さく、且つ、極めて有利には、２°と５０°の間にある。流れ込み角度αの実現のために、この実施例において、相応して設備された流れ込み案内部１８が設けられており、これら流れ込み案内部が、この実施例において、傾斜して、二次空気流入間隙１６、１７に接続された流れ込み管路１９として形成されている。その際、これら流れ込み管路１９は、フィラメント流動方向ＦＳもしくは長手方向中心軸線Ｍと、二次空気Ｓが前記された流れ込み角度αのもとで流入可能である、という条件付きで１つの角度を形成している。
特に有利な実施形態に従い、フィラメント流動方向ＦＳに対する二次空気Ｓのほぼ平行な流れ込みが行われる。合目的に、二次空気流入間隙１６、１７を通って供給される二次空気Ｓの容積流量は、調節され得る。
二次空気流入間隙１６、１７を通る二次空気Ｓの流入に基づいて、ディフューザー１４内において、一次空気Ｐが、二次空気Ｓと混合される。有利な実施形態に従い、二次空気流入間隙１６、１７の領域内において、一次空気と二次空気との容積流量の比率ＶＰ／ＶＳは、５よりも小さい、および有利には、４．５よりも小さい。
【００３７】
ディフューザー１４は、この実施例において、二次空気流入間隙１６、１７の後ろもしくは下に、収斂状のディフューザー部分２０を有している。この収斂状のディフューザー部分２０に、有利には、および、この実施例において、ディフューザー１４の狭隘位置２１が接続している。フィラメント流動方向ＦＳに、この狭隘位置２１の後方もしくは下方に、このディフューザー１４は、有利には、および、この実施例において、末広がり状のディフューザー部分２２を備えている。
合目的に、および、この実施例において、末広がり状のディフューザー部分２２のディフューザー壁部２３と、ディフューザー１４の長手方向中心軸線Ｍとの間のディフューザー流出角度βは、最大２５°の値である。
【００３８】
ディフューザー１４もしくは末広がり状のディフューザー部分２２から流出する無端フィラメント１は、載置スクリーンベルト１２として形成された載置装置の上で、フィラメント載置物もしくは不織布ウェブ１３へと載置される。この不織布ウェブ１３は、次いで、載置スクリーンベルト１２でもって、機械方向ＭＤに排出移動もしくは搬出される。
載置装置もしくは載置スクリーンベルト１２を通って、空気もしくはプロセス空気を吸引するための吸引装置が設けられていることは、本発明の範囲内にある。この目的のために、ディフューザー流出部２４の下方に、吸引領域２５が配設されており、この吸引領域が、有利には、１つの幅ｂを、機械方向ＭＤに有している。この吸引領域２５の幅ｂは、有利には、および、この実施例において、ディフューザー流出部２４の幅Ｂよりも大きい。
有利な実施形態に従い、吸引領域２５の幅ｂは、ディフューザー流出部２４の幅Ｂの少なくとも１．２倍、有利には少なくとも１．３倍の値である。この実施例において、ディフューザー流出部２４の幅Ｂは、ディフューザー壁部２３の下側の端部の、水平方向の間隔として測定される。
末広がり状のディフューザー部分２２のディフューザー壁部２３の端部が、同じ水平方向の面内において、もしくは、同じ垂直方向の高さで終端していない場合、有利には、同じ垂直方向の高さでの、延長された仮想の、より短いディフューザー壁部２３の端部からの、より長いディフューザー壁部２３の端部の間隔が測定される。
載置スクリーンベルト１２の下側に配設された吸引領域２５は、機械方向ＭＤに相前後して配設された、２つの分離壁２６、２７によって境界されている。吸引領域２５の幅ｂは、両方の分離壁２６、２７の間の間隔として、しかも、これら両方の分離壁２６、２７の上側の端部の間隔として測定される。
特に図３内において、吸引領域２５が、機械方向ＭＤに関して、フィラメント１の吸引領域の後で、第１の吸引部分２８だけ、ディフューザー流出部２４を越えてもしくはこのディフューザー流出部２４の幅Ｂを越えて突出していることは認識可能である。その他更に、有利には、および、この実施例において、吸引領域２５は、機械方向ＭＤに関して、フィラメント１の吸引領域の手前で、第２の吸引部分２９だけ、ディフューザー流出部２４を越えてもしくはこのディフューザー流出部２４の幅Ｂを越えて突出している。
図３内において、第１の吸引部分２８が幅ｂ１を、および、第２の吸引部分２９が幅ｂ２を有していることは認識可能である。
基本的に、吸引領域２５が、それ自身、少なくとも１つの分離壁もしくはこれら分離壁によって、区分されていることは、同様に本発明の範囲内にある。その場合に、有利には、この吸引領域２５、もしくは、分離壁分によって区分されたこの吸引領域２５内において、速度もしくは吸引される空気の平均速度が、この吸引領域２５の全幅にわたって同じである、もしくは、基本的に同じであることは、しかしながら肝要である。
【００３９】
本発明の推奨される実施形態に従い、載置スクリーンベルト１２を通っての吸引は、ディフューザー流出部２４の領域内において三次空気Ｔがディフューザー１４もしくは末広がり状のディフューザー部分２２の外側の表面３０に沿って載置スクリーンベルト１２への方向に流動する、という条件付きで行われる。
特に有利な実施形態に従い、三次空気Ｔの流れは、その際、ディフューザー１４のディフューザー流出部２４への方向に流動する、一次空気Ｐと二次空気Ｓから成る混合流に対して平行に、もしくは、基本的に平行に整向されている。有利には、一次空気Ｐ、二次空気Ｓ、および、三次空気Ｔの流れは、平行に、もしくは、ほぼ平行に、載置スクリーンベルト２１を通って流動する。
【００４０】
図６は、本発明に従う密閉材２．２の選択的な実施形態を示しており、この密閉材が、この実施例において、紡糸口金２とモノマー吸引装置４との間の第１の間隙２．１を密閉している。この選択的な密閉材２．２は、ばね要素３１を用いて、密閉されるべき間隙２．１の境界面に対して押圧される密閉要素３２を有しており、この密閉要素が、例えば、密閉唇状片として構成されている。
【符号の説明】
【００４１】
１    フィラメント、無端フィラメント
２    紡糸口金
２．１  第１の間隙
２．２  第１の密閉材
３    冷却装置
４    モノマー吸引装置
５    第２の間隙
５．１  境界面
６    第３の間隙
６．１  境界面
７    第２の密閉材
７．１  密閉材案内面
８    第３の密閉材
８．１  密閉材案内面
９    冷却チャンバー
１０  冷却チャンバー
１１  延伸装置
１１．１  中間管路
１１．２  延伸ダクト
１２  載置スクリーンベルト
１３  不織布ウェブ
１４  ディフューザー
１６  二次空気流入間隙
１７  二次空気流入間隙
１８  流れ込み案内部
１９  流れ込み管路
２０  収斂状のディフューザー部分
２１  狭隘位置
２２  末広がり状のディフューザー部分
２３  ディフューザー壁部
２４  ディフューザー流出部
２５  吸引領域
２６  分離壁
２７  分離壁
２８  第１の吸引部分
２９  第２の吸引部分
３０  外側の表面
３１  ばね要素
３２  密閉要素
Ｂ    ディフューザー流出部２４の幅
ｂ    吸引領域２５の幅ｂ
ｂ１  幅
ｂ２  幅
Ｆ    フィラメント流動室
ＦＳ  フィラメント流動方向
ｈ１  高さ
ｈ２  高さ
ｈ３  高さ
Ｍ    長手方向中心軸線
ＭＤ  機械方向
Ｐ    一次空気
Ｓ    二次空気
Ｔ    三次空気
α    流れ込み角度
β    ディフューザー流出角度
【図１】
2018172840.tif 000003
【図２】
2018172840.tif 000004
【図３】
2018172840.tif 000005
【図４】
2018172840.tif 000006
【図５】
2018172840.tif 000007
【図６】
2018172840.tif 000008
【外国語明細書】
2018172840000001.pdf